(57)【要約】【課題】オクタン価や蒸留性状を維持したまま、燃焼室デポジットの低減及び排出される二酸化炭素の低減を可能とする無鉛ガソリン組成物を提供すること。【解決手段】  炭素数８のイソオレフィンの含有量及び芳香族分の含有量が下記式（１）、（２）、（３）及び（４）で表される条件を満たし、１００〜１５０℃における留出量が２５容量％以上であり、リサーチ法オクタン価が８９．０以上９６．０未満であり、かつ、硫黄分の含有量が１０質量ｐｐｍ以下である無鉛ガソリン組成物。１≦Ａ≦３０    （１）Ｂ≧５    （２）１０≦Ａ＋Ｂ≦４５    （３）０．２５≦Ｂ／Ａ≦３０    （４）（式中、Ａは前記炭素数８のイソオレフィンの含有量（単位：容量％）を示し、Ｂは前記芳香族分の含有量（単位：容量％）を示す。）【選択図】なし【特許請求の範囲】
【請求項１】
炭素数８のイソオレフィンの含有量及び芳香族分の含有量が下記式（１）、（２）、（３）及び（４）で表される条件を満たし、１００〜１５０℃における留出量が２５容量％以上であり、リサーチ法オクタン価が８９．０以上９６．０未満であり、かつ、硫黄分の含有量が１０質量ｐｐｍ以下である無鉛ガソリン組成物。
１≦Ａ≦３０    （１）
Ｂ≧５    （２）
１０≦Ａ＋Ｂ≦４５    （３）
０．２５≦Ｂ／Ａ≦３０    （４）
（式中、Ａは前記炭素数８のイソオレフィンの含有量（単位：容量％）を示し、Ｂは前記芳香族分の含有量（単位：容量％）を示す。）
【請求項２】
前記芳香族分に占める炭素数７の芳香族分の割合がガソリン全量に対して３０容量％以下であり、前記芳香族分に占める炭素数８の芳香族分の割合がガソリン全量に対して２０容量％以下であり、前記芳香族分に占める炭素数９以上の芳香族の割合がガソリン全量に対して１５容量％以下である、請求項１に記載の無鉛ガソリン組成物。
【請求項３】
ジエン類の含有量が０．１容量％以下である、請求項１または２に記載の無鉛ガソリン組成物。
【請求項４】
前記炭素数８のイソオレフィンの含有量及び前記ジエン類の含有量が下記式（５）で表される条件を満たす、請求項３に記載の無鉛ガソリン組成物。
Ａ＋Ｃ×１００≦４０    （５）
（式中、Ａは前記炭素数８のイソオレフィンの含有量（単位：容量％）を示し、Ｃは前記ジエン類の含有量を示す。）
【請求項５】
酸化防止剤を含有し、かつ、該酸化防止剤の含有量が下記式（６）で表される条件を満たす、請求項３または４に記載の無鉛ガソリン組成物。
Ｘ≧５＋０．５×Ａ＋２５０×Ｃ    （６）
（式中、Ｘは前記酸化防止剤の含有量（単位：ｇ／ｋＬ）を示し、Ａは前記炭素数８のイソオレフィンの含有量（単位：容量％）を示し、Ｃは前記ジエン類の含有量（単位：容量％）を示す。）
【請求項６】
沸点範囲が１００〜１５０℃にある留分の１５℃における密度が０．７３０〜０．８６０ｇ／ｃｍ３以下である、請求項１〜５のうちのいずれか１項に記載の無鉛ガソリン組成物。
【請求項７】
１０％留出温度が７０℃以下、５０％留出温度が７５〜１１０℃、９０％留出温度が１８０℃以下、蒸留終点が２２０℃以下、３７．８℃における蒸気圧が４４〜９３ｋＰａ、１５℃における密度が０．７８３ｇ／ｃｍ３以下、酸化安定度が２４０分以上、銅板腐食が１以下、洗浄実在ガムが５ｍｇ／１００ｍｌ以下、未洗実在ガムが２０ｍｇ／１００ｍｌ以下、ベンゼン含有量が１容量％以下である、請求項１〜６のうちのいずれか１項に記載の無鉛ガソリン組成物。
【請求項８】
芳香族分の含有量が４２容量％以下、オレフィン分の含有量が４５容量％以下、含酸素化合物含有量が酸素分換算で３．８質量％以下である、請求項１〜７のうちのいずれか１項に記載の無鉛ガソリン組成物。
【請求項９】
マンガンの含有量が２質量ｐｐｍ以下、鉄の含有量が２質量ｐｐｍ以下、ナトリウムの含有量が２質量ｐｐｍ以下、カリウムの含有量が２質量ｐｐｍ以下、及びリンの含有量が２質量ｐｐｍ以下である、請求項１〜８のうちのいずれか１項に記載の無鉛ガソリン組成物。
【請求項１０】
金属不活性化剤を含有する、請求項１〜９のうちのいずれか１項に記載の無鉛ガソリン組成物。
【請求項１１】
炭素数４のオレフィンの二量化反応によって得られた基材を含有する、請求項１〜１０のうちのいずれか１項に記載の無鉛ガソリン組成物。
【請求項１２】
前記二量化反応において、炭素数４のオレフィンと固体酸触媒とを接触させる、請求項１１に記載の無鉛ガソリン組成物。
【請求項１３】
前記二量化反応によって得られた基材に占める炭素数８のイソオレフィンの含有量の割合が８０容量％以上であり、該基材に占めるジエン類の含有量の割合が０．２容量％以下である、請求項１１または１２に記載の無鉛ガソリン組成物。
【発明の詳細な説明】
【技術分野】
【０００１】
本発明は、自動車用燃料として有用な無鉛ガソリン組成物に関する。
【背景技術】
【０００２】
ガソリンには、原油を常圧蒸留して得られるナフサ留分や、接触分解法による接触分解ガソリン、アルキル化によって得られるアルキレート、接触改質法で得られる改質ガソリン、改質ガソリンより芳香族分を抽出した残分であるラフィネート、更にはジイソブチレン等のイソオレフィンなどの様々な基材が用いられている（例えば、特許文献１、２を参照。）。最適な自動車用燃料を製造するためには、これらの基材を上手く配合することが必要とされる。
【０００３】
一方、現在の自動車に関わる問題としては、エンジンにデポジットが蓄積することによる性能の悪化や、二酸化炭素や規制排出ガスの低減といった環境問題などがある。特に、ガソリンエンジンの燃焼室内デポジットは、エンジンの燃焼状態を乱すことによる排出ガスの悪化や、カーボンノックを引き起こす原因となり得る。
【０００４】
燃料性状と燃焼室デポジットの関係についての検討により、燃料中の重質分や特に芳香族分が燃焼室デポジットを増加させる可能性があることが知られており（例えば非特許文献１参照）、ガソリン中の芳香族分を低減すれば、燃焼室デポジットを低減できる可能性があると考えられる。
【特許文献１】特表２００４−５０７５７６号公報
【特許文献２】特表２００３−５２３４５３号公報
【非特許文献１】上原ら，「自動車技術会学術講演会前刷集」，自動車技術会，１９９６年，Ｎｏ．１０，９６３７２０３，
【発明の開示】
【発明が解決しようとする課題】
【０００５】
しかしながら、ガソリン中の芳香族分は高オクタン価を達成するための主要成分であり、その低減はオクタン価の低下、密度減少による燃費の悪化、ガソリンの蒸留性状の変化などを招くおそれがある。特に、オクタン価が低下すると、ノッキングを引き起こしてエンジンに損傷を与えるおそれがあり、さらに、プレミアムガソリン仕様車においてはエンジンの性能を最大限に発揮できなくなる可能性がある。また、ガソリンの蒸留性状が大きく変化すると、車両の運転性や加速性等の悪化を招くおそれがある。
【０００６】
本発明は、このような実情に鑑みてなされたものであり、オクタン価や蒸留性状および燃費を維持したまま、燃焼室デポジットの低減及び排出される二酸化炭素の低減を可能とする無鉛ガソリン組成物を提供することを目的とする。
【課題を解決するための手段】
【０００７】
本発明者らは、前記課題について鋭意研究を重ねた結果、無鉛ガソリン組成物において、炭素数８のイソオレフィン及び芳香族分の含有量、１００〜１５０℃における留出量、リサーチ法オクタン価並びに硫黄分の含有量がそれぞれ特定条件を満たすようにすることで、燃焼室デポジットを低減し、エンジン性能を最大限に発揮することができ、さらには排出する二酸化炭素の少ない高性能なガソリンを得られることを見出し、本発明を完成するに至った。
【０００８】
すなわち、本発明は、炭素数８のイソオレフィンの含有量及び芳香族分の含有量が下記式（１）、（２）、（３）及び（４）で表される条件を満たし、１００〜１５０℃における留出量が２５容量％以上であり、リサーチ法オクタン価が８９．０以上９６．０未満であり、かつ、硫黄分の含有量が１０質量ｐｐｍ以下である無鉛ガソリン組成物を提供する。
１≦Ａ≦３０    （１）
Ｂ≧５    （２）
１０≦Ａ＋Ｂ≦４５    （３）
０．２５≦Ｂ／Ａ≦３０    （４）
（式中、Ａは前記炭素数８のイソオレフィンの含有量（単位：容量％）を示し、Ｂは前記芳香族分の含有量（単位：容量％）を示す。）
【０００９】
本発明の無鉛ガソリン組成物においては、芳香族分に占める炭素数７の芳香族分の割合がガソリン全量に対して３０容量％以下であり、芳香族分に占める炭素数８の芳香族分の割合がガソリン全量に対して２０容量％以下であり、芳香族分に占める炭素数９以上の芳香族の割合がガソリン全量に対して１５容量％以下であることが好ましい。
【００１０】
また、本発明の無鉛ガソリン組成物においては、ジエン類の含有量が０．１容量％以下であることが好ましい。
【００１１】
また、本発明の無鉛ガソリン組成物においては、炭素数８のイソオレフィンの含有量及びジエン類の含有量が下記式（５）で表される条件を満たすことが好ましい。
Ａ＋Ｃ×１００≦４０    （５）
（式中、Ａは前記炭素数８のイソオレフィンの含有量（単位：容量％）を示し、Ｃは前記ジエン類の含有量（単位：容量％）を示す。）
【００１２】
また、本発明の無鉛ガソリン組成物は、酸化防止剤を更に含有することが好ましく、該酸化防止剤の含有量は下記式（６）で表される条件を満たすことが好ましい。
Ｘ≧５＋０．５×Ａ＋２５０×Ｃ    （６）
（式中、Ｘは前記酸化防止剤の含有量（単位：ｇ／ｋＬ）を示し、Ａは前記炭素数８のイソオレフィンの含有量（単位：容量％）を示し、Ｃは前記ジエン類の含有量（単位：容量％）を示す。）
【００１３】
また、本発明の無鉛ガソリン組成物においては、沸点範囲が１００〜１５０℃にある留分の１５℃における密度が０．７３０〜０．８６０ｇ／ｃｍ３以下であることが好ましい。
【００１４】
また、本発明の無鉛ガソリン組成物においては、１０％留出温度が７０℃以下、５０％留出温度が７５℃以上１１０℃以下、９０％留出温度が１８０℃以下、蒸留終点が２２０℃以下、３７．８℃における蒸気圧が４４〜９３ｋＰａ、１５℃における密度が０．７８３ｇ／ｃｍ３以下、酸化安定度が２４０分以上、銅板腐食が１以下、洗浄実在ガムが５ｍｇ／１００ｍｌ以下、未洗実在ガムが２０ｍｇ／１００ｍｌ以下、ベンゼン含有量が１容量％以下であることが好ましい。
【００１５】
また、本発明の無鉛ガソリン組成物においては、芳香族分の含有量が４５容量％以下、オレフィン分の含有量が４５容量％以下、含酸素化合物含有量が酸素分換算で３．８質量％以下であることが好ましい。
【００１６】
また、本発明の無鉛ガソリン組成物においては、マンガンの含有量が２質量ｐｐｍ以下、鉄の含有量が２質量ｐｐｍ以下、ナトリウムの含有量が２質量ｐｐｍ以下、カリウムの含有量が２質量ｐｐｍ以下、及びリンの含有量が２質量ｐｐｍ以下であることが好ましい。
【００１７】
また、本発明の無鉛ガソリン組成物は、金属不活性化剤を更に含有することが好ましい。
【００１８】
また、本発明の無鉛ガソリン組成物は、炭素数４のオレフィンの二量化反応によって得られた基材を含有することが好ましい。
【００１９】
上記二量化反応においては、炭素数４のオレフィンと固体酸触媒とを接触させることにより、炭素数８のイソオレフィンを好適に得ることができる。
【００２０】
上記二量化反応によって得られた基材に占める炭素数８のイソオレフィンの含有量の割合は８０容量％以上であることが好ましく、また、該基材に占めるジエン類の含有量の割合は０．２容量％以下であることが好ましい。
【発明の効果】
【００２１】
以上の通り、本発明によれば、オクタン価や蒸留性状を維持したまま、燃焼室デポジットの低減及び排出される二酸化炭素の低減を可能とする無鉛ガソリン組成物が提供される。
【発明を実施するための最良の形態】
【００２２】
以下、本発明の好適な実施形態について詳細に説明する。
【００２３】
本発明の無鉛ガソリン組成物に含まれる炭素数８のイソオレフィンは、「イソオクテン」とも呼ばれる。炭素数８のイソオレフィンの製造法は、特に限定されるものではなく、公知の製造法から得られる全ての炭素数８のイソオレフィンが使用可能であるが、固体酸触媒を用いて炭素数４のオレフィンの二量化反応を行うことによって製造される炭素数８のイソオレフィンが好適である。
【００２４】
炭素数４のオレフィンの二量化反応によって炭素数８のイソオレフィンを製造する場合、原料である炭素数４のオレフィンは特に限定されるものではなく、例えば、ＦＣＣプロセスで生産されるオレフィン留分や、ナフサクラッカーで生産される留分などを原料として用いることができる。
【００２５】
また、炭素数４のオレフィンの二量化反応に用いられる固体酸触媒としては、具体的には、非晶質または結晶質アルミノシリケート、粘土、イオン交換樹脂、混合酸化物、担体付き酸などが挙げられる。二量化反応の条件は特に制限されないが、固体リン酸触媒を用いた固定式連続流通反応形式で、オレフィン原料に、０℃〜３００℃、常圧〜２０ＭＰａの任意の反応条件で接触させることにより二量化反応を行なう方法などが挙げられる。
【００２６】
上記二量化反応により得られる反応生成物は炭素数８のイソオレフィン以外の成分を含有してもよいが、当該反応生成物を基材として用いる場合は、適宜、反応生成物中の未反応物質や重質成分を蒸留によって精製し、反応生成物全量を基準として、炭素数８のイソオレフィンの含有量が８０容量％以上であることが好ましく、また、ジエン類の濃度が０．２容量％以下であることが好ましい。
【００２７】
また、本発明の無鉛ガソリン組成物に含まれる芳香族分には、例えば、ガソリン基材に由来する炭素数６のベンゼン、炭素数７のトルエン、炭素数８のキシレンやエチルベンゼン、炭素数９の１，２，４−トリメチルベンゼンや１−メチル−３−エチルベンゼン、炭素数１０の１，３−ジエチルベンゼン等が包含される。
【００２８】
本発明の無鉛ガソリン組成物において、炭素数８のイソオレフィンの含有量と芳香族分の含有量とは、それぞれ下記式（１）、（２）、（３）及び（４）で表される条件を満たす必要がある。なお、本発明でいう「炭素数８のイソオレフィンの含有量」及び「芳香族分の含有量」とは、それぞれ石油学会規格ＪＰＩ−５Ｓ−５２−９９「ガソリン−全組成分析法−キャピラリーカラムクロマトグラフ法に準拠して測定される炭素数８のイソオレフィンの含有量（単位：容量％）及び芳香族分の含有量（単位：容量％）を意味する。また、炭素数８のイソオレフィン以外のオレフィン分の含有量についても、上記と同様にして測定される各成分の含有量を意味する。
１≦Ａ≦３０    （１）
Ｂ≧５    （２）
１０≦Ａ＋Ｂ≦４５    （３）
０．２５≦Ｂ／Ａ≦３０    （４）
（式中、Ａは前記炭素数８のイソオレフィンの含有量（単位：容量％）を示し、Ｂは前記芳香族分の含有量（単位：容量％）を示す。）
【００２９】
すなわち、上記式（１）に示したように、炭素数８のイソオレフィンの含有量Ａは、二酸化炭素の排出量の低減及び燃焼室デポジットの低減の観点から、１容量％以上であることが必要であり、３容量％以上であることが好ましく、５容量％以上であることがより好ましい。また、無鉛ガソリン組成物の貯蔵安定性の確保及び容量燃費の悪化の抑制の観点から、Ａは、３０容量％以下であることが必要であり、２５容量％以下であることが好ましく、２０容量％以下であることがより好ましい。
【００３０】
また、上記式（２）に示したように、芳香族分の含有量Ｂは、容量あたりの燃費を確保するという観点から、５容量％以上であることが必要であり、１０容量％以上であることが好ましく、１５容量％以上であることがより好ましい。また、Ｂは、４５容量％以下であることが好ましく、４０容量％以下であることがより好ましく、３５容量％以下であることが更に好ましい。芳香族分が４５容量％を超えると、吸気バルブデポジットや燃焼室デポジットが増加したり、点火プラグのくすぶりが発生したりする可能性がある。あるいはまた、排出ガス中のベンゼン濃度が増加する可能性がある。
【００３１】
また、上記式（３）に示したように、炭素数８のイソオレフィンの含有量Ａと芳香族分の含有量Ｂとの和Ａ＋Ｂは、耐ノッキング性能を維持する観点から、１０容量％以上であることが必要であり、１５容量％以上であることが好ましく、２０容量％以上であることがより好ましい。また、Ａ＋Ｂは、４５容量％以下であることが必要であり、４２容量％以下であることが好ましく、４１容量％以下であることがより好ましく、４０容量％以下であることがさらに好ましい。Ａ＋Ｂが４５容量％を超えると、吸気バルブデポジットや燃焼室デポジットが増加したり、点火プラグのくすぶりが発生したりする可能性がある。あるいはまた、排出ガス中のベンゼン濃度が増加する可能性がある。
【００３２】
また、上記式（４）に示したように、炭素数８のイソオレフィンの含有量Ａに対する芳香族分の含有量Ｂの比Ｂ／Ａは、燃料のオクタン価と密度および５０％留出温度が自動車ガソリン規格であるＪＩＳ  K  ２２０２を満たし、かつ、ノッキングや運転性の悪化などの車両での不具合を起こさせない観点から、０．２５以上、３０以下であることが必要であり、０．５以上、２５以下であることが好ましく、１以上、２０以下であることがより好ましい。
【００３３】
また、本発明の無鉛ガソリン組成物の１００〜１５０℃における留出量（Ｅ１５０−Ｅ１００）は、２５容量％以上である必要があり、３０容量％以上であることが好ましく、３５容量％以上であることがより好ましい。なお、Ｅ１５０―Ｅ１００が２５容量％未満であると、車両の運転性や加速性が不十分となる。なお、本発明でいうＥ１５０及びＥ１００とは、ＪＩＳ  Ｋ  ２２５４「石油製品−蒸留試験方法」によって測定される蒸留性状を意味する。
【００３４】
また、本発明の無鉛ガソリン組成物のリサーチ法オクタン価（ＲＯＮ）は、ノッキングを防止し、加速性及び運転性を向上させる点から、８９．０以上であることが必要であり、９０．０以上であることが好ましい。また、本発明の無鉛ガソリン組成物のＲＯＮは、０主にレギュラーガソリン仕様車で使用される場合の走行時の二酸化炭素排出量の低減量をガソリン組成物の製造時の二酸化炭素排出量の増加量よりも大きくするために、９６．０未満であることが必要である。
【００３５】
また、本発明の無鉛ガソリン組成物のモーター法オクタン価（ＭＯＮ）は、高速走行中の耐ノッキング性能の改善の点から、８０．０以上が好ましい。
【００３６】
なお、本発明でいうリサーチ法オクタン価及びモーター法オクタン価とは、それぞれＪＩＳ  Ｋ  ２２８０「オクタン価及びセタン価試験方法」により測定されるリサーチ法オクタン価およびモーター法オクタン価を意味する。
【００３７】
また、本発明の無鉛ガソリン組成物の硫黄分の含有量は、組成物全量基準で、１０質量ｐｐｍ以下であることが必要であり、８質量ｐｐｍ以下であることが好ましい。硫黄分の含有量が１０質量ｐｐｍを超える場合、排出ガス処理触媒の性能に悪影響を及ぼし、排出ガス中のＮＯｘ、ＣＯ、ＨＣの濃度が高くなる可能性があり、また、ベンゼンの排出量も増加する可能性がある。なお、本発明でいう硫黄分の含有量とは、ＪＩＳ  Ｋ  ２５４１「原油及び石油製品−硫黄分試験方法」により測定される硫黄含有量を意味する。
【００３８】
本発明の無鉛ガソリン組成物のその他の性状は、炭素数８のイソオレフィンの含有量Ａ及び芳香族分の含有量Ｂが上記式（１）〜（４）で表される条件を満たし、かつ、１００〜１５０℃における留出量、リサーチ法オクタン価及び硫黄分の含有量がそれぞれ上記の条件を満たす限りにおいて特に制限されないが、以下に示す各種性状を有していることが好ましい。
【００３９】
本発明の無鉛ガソリン組成物においては、芳香族分の含有量Ｂが上記式（２）〜（４）で表される条件を満たせば、その内訳は特に制限されないが、エンジンデポジットを低減するとともに密度の低下を抑える観点から、芳香族分に占める炭素数７の芳香族分の割合はガソリン全量に対し３０容量％以下であることが好ましく、芳香族分に占める炭素数８の芳香族分の割合はガソリン全量に対し２０容量％以下であることが好ましく、芳香族分に占める炭素数９以上の芳香族の割合はガソリン全量に対し１５容量％以下であることが好ましい。
【００４０】
また、本発明の無鉛ガソリン組成物におけるジエン類の含有量は、無鉛ガソリン組成物の貯蔵安定性を確保する観点から、組成物全量を基準として、０．１容量％以下であることが好ましく、０．０５容量％以下であることがより好ましく、０．０１容量％以下であることが更に好ましい。
【００４１】
また、本発明の無鉛ガソリン組成物においては、ガソリンの貯蔵安定性を確保する観点から、炭素数８のイソオレフィンの含有量Ａ及びジエン類の含有量Ｃが下記式（５）で表される条件を更に満たすことが好ましい。さらに、Ａ＋Ｃ×１００は、３５以下であることがより好ましく、３０以下であることが特に好ましい。
Ａ＋Ｃ×１００≦４０    （５）
（式中、Ａは前記炭素数８のイソオレフィンの含有量（単位：容量％）を示し、Ｃは前記ジエン類の含有量（単位：容量％）を示す。）
【００４２】
また、本発明の無鉛ガソリン組成物においては、エンジンの出力性能を確保する観点から、沸点範囲が１００〜１５０℃にある留分の１５℃における密度が、０．７３０ｇ／ｃｍ３以上であることが好ましく、０．８６０ｇ／ｃｍ３以下であることが好ましい。
【００４３】
また、本発明のガソリン組成物の１５℃における密度（組成物全体の密度）は、０．７８３ｇ／ｃｍ３以下であることが好ましい。下限は、好ましくは０．７１０ｇ／ｃｍ３以上であり、また、上限はより好ましくは０．７６５ｇ／ｃｍ３以下である。ガソリンの密度が０．７１０ｇ／ｃｍ３に満たない場合は燃費が悪化する可能性があり、一方、０．７８３ｇ／ｃｍ３を超える場合は加速性の悪化やプラグのくすぶりを生じる可能性がある。
【００４４】
なお、本発明でいう密度とは、ＪＩＳ Ｋ ２２４９「原油及び石油製品の密度試験方法並びに密度・質量・容量換算表」により測定される密度を意味する。
【００４５】
また、本発明の無鉛ガソリン組成物の蒸留性状に関し、その１０容量％留出温度（Ｔ１０）は、７０℃以下であることが好ましく、６５℃であることがより好ましい。Ｔ１０が７０℃を超える場合には、低温始動性に不具合を生じる可能性がある。一方、Ｔ１０は、３５℃以上であることが好ましい。Ｔ１０が３５℃に満たない場合は排出ガス中の炭化水素が増加する可能性があり、また、ベーパーロックにより高温運転性の不具合を生じる可能性がある。
【００４６】
また、本発明の無鉛ガソリン組成物の５０容量％留出温度（Ｔ５０）は、加速性の向上及び排出ガス中の炭化水素（ＨＣ）の増加の抑制の観点から、１１０℃以下であることが好ましく、１０５℃以下がより好ましい。また、Ｔ５０は、燃費の悪化を防止する観点から、７５℃以上であることが好ましく、７８℃以上であることがより好ましい。
【００４７】
また、本発明の無鉛ガソリン組成物の９０容量％留出温度（Ｔ９０）は、冷機時の中低温運転性における不具合の防止、排出ガス中の炭化水素の増加の抑制、エンジンオイルのガソリンによる希釈の増加の抑制、吸気バルブデポジットの増加の抑制、燃焼室デポジットの増加の抑制、エンジンオイルの劣化の抑制、及びスラッジの発生の抑制の観点から、１８０℃以下であることが好ましく、１７０℃以下であることがより好ましい。また、Ｔ９０は、燃費の悪化を防止する観点から、１１５℃以上であることが好ましい。
【００４８】
また、本発明の無鉛ガソリン組成物の蒸留終点（ＥＰ）は、吸気バルブデポジット及び燃焼室デポジットの増加の抑制、並びにプラグくすぶりの防止の観点から、２２０℃以下であることが好ましく、２００℃以下であることがより好ましい。
【００４９】
なお、本発明でいうＴ１０、Ｔ５０、Ｔ９０及びＥＰとは、それぞれＪＩＳ Ｋ ２２５４「石油製品−蒸留試験方法」によって測定されるＴ１０、Ｔ５０、Ｔ９０及びＥＰを意味する。
【００５０】
また、本発明の無鉛ガソリン組成物のリード蒸気圧（ＲＶＰ）はガソリンが使用される季節や地域によって調整する必要があるが、低温始動性やベーパーロックなどによる運転性の不具合防止の点から、一般に夏期（５月〜９月）には好ましくは４４〜６５ｋＰａ、より好ましくは５０〜６５ｋＰａ、最も好ましくは５５〜６５ｋＰａに調整することが望ましい。一方、冬期（１０月〜４月）では、好ましくは６５〜９３ｋＰａ、より好ましくは７０〜９３ｋＰａ、最も好ましくは７０〜９０ｋＰａに調整することが望ましい。なお、本発明でいうリード蒸気圧とは、ＪＩＳ  Ｋ  ２２５８「原油及び燃料油蒸気圧試験方法（リード法）」により測定されるリード蒸気圧（ＲＶＰ）を意味する。
【００５１】
また、本発明の無鉛ガソリン組成物の酸化安定度は、２４０分以上であることが好ましく、４８０分以上であることがより好ましく、９６０分以上であることが最も好ましい。酸化安定度が２４０分に満たない場合は、貯蔵中にガムが生成する可能性がある。なお、本発明でいう酸化安定度とは、ＪＩＳ  Ｋ  ２２８７「ガソリン酸化安定度試験方法（誘導期間法）」によって測定した値を意味する。
【００５２】
また、本発明の無鉛ガソリン組成物の銅板腐食（５０℃、３ｈ）が１以下であることが好ましく、１ａであるのがより好ましい。銅板腐食が１を超える場合は、燃料系統の導管が腐食する可能性がある。なお、本発明でいう銅板腐食とは、ＪＩＳ  Ｋ  ２５１３「石油製品−銅板腐食試験方法」（試験温度５０℃、試験時間３時間）に準拠して測定した値を意味する。
【００５３】
また、本発明の無鉛ガソリン組成物の未洗実在ガム量は、２０ｍｇ／１００ｍＬ以下であることが好ましく、１８ｍｇ／１００ｍＬ以下であることがより好ましい。また洗浄実在ガム量は、５ｍｇ／１００ｍＬ以下であることが好ましく、３ｍｇ／１００ｍＬ以下であることがより好ましく、１ｍｇ／１００ｍＬ以下であることが更に好ましい。未洗実在ガム量及び洗浄実在ガム量が上記上限値を超えた場合は、燃料導入系統において析出物が生成したり、吸入バルブが膠着したりするおそれがある。なお、本発明でいう未洗実在ガム量および洗浄実在ガム量とは、ＪＩＳ  Ｋ  ２２６１「石油製品−自動車ガソリン及び航空燃料油−実在ガム試験方法−噴射蒸発法」により測定した値を意味する。
【００５４】
また、本発明の無鉛ガソリン組成物におけるベンゼン含有量は、１容量％以下であることが好ましく、０．５容量％以下であることがより好ましい。なお、本発明でいうベンゼン含有量とは、ＪＩＳ  Ｋ  ２５３６「石油製品−成分試験方法」により測定した値を意味する。
【００５５】
また、本発明の無鉛ガソリン組成物のオレフィン分の含有量は、４５容量％以下であることが好ましく、４０容量％以下であることがより好ましく、３５容量％以下であることが更に好ましい。オレフィン分が４５容量％を超えると、ガソリンの酸化安定性を悪化させ吸気バルブデポジットを増加させる可能性がある。なお、本発明でいうオレフィン分とは、石油学会規格ＪＰＩ−５Ｓ−５２−９９「ガソリン−全組成分析法−キャピラリーカラムクロマトグラフ法に準拠して測定されるガソリン組成物中のオレフィン分の含有量（容量％）を意味する。
【００５６】
また、本発明の無鉛ガソリン組成物において、マンガンの含有量は２質量ｐｐｍ以下であることが好ましく、鉄の含有量は２質量ｐｐｍ以下であることが好ましく、ナトリウムの含有量は２質量ｐｐｍ以下であることが好ましく、カリウムの含有量は２質量ｐｐｍ以下であることが好ましく、リンの含有量は２質量ｐｐｍ以下であることが好ましい。これら金属分が上記上限値を超えた場合は、排出ガス浄化触媒上への蓄積量の増加、触媒担体の劣化、空燃比センサの劣化等により排出ガス浄化システムの効率を低下させる恐れがある。なお、本発明でいうマンガン、鉄、ナトリウムの含有量は「燃焼灰化−誘導結合プラズマ発光法」、カリウムの含有量は「燃焼灰化−原子吸光法」、リンの含有量はＡＳＴＭ  Ｄ３２３１”Ｓｔａｎｄａｒｄ  Ｔｅｓｔ  Ｍｅｔｈｏｄ  ｆｏｒ  Ｐｈｏｓｐｈｏｒｕｓ  ｉｎ  Ｇａｓｏｌｉｎｅ”により測定される値を意味する。
【００５７】
「燃焼灰化−誘導結合プラズマ発光法」及び「燃焼灰化−原子吸光法」の測定は、下記（ｉ）〜（ｖｉ）に示す手順に従って行うことができる。
（ｉ）試料２０ｇを白金皿に採取する。
（ｉｉ）成分元素の揮散を抑えるために粉末硫黄０．４ｇを加え、サンドバス上で１５０℃で時間おき、揮発分を除く。
（ｉｉｉ）残留分を燃焼させる。
（ｉｖ）５００℃の電気炉で２〜３時間灰化する。
（ｖ）２〜３ｍLの濃硫酸で溶解し、２０ｍLに定容する。
（ｖｉ）マンガン、鉄、ナトリウムの含有量は誘導結合プラズマ発光分光分析計（島津製、ＩＣＰＳ−８０００）、リンの含有量は原子吸光光度計（日立製、Ｚ６１００）を用いて分析する。
【００５８】
また、本発明の無鉛ガソリン組成物の灯油混入量は、４容量％以下であることが好ましく、１容量％以下であることがより好ましい。なお、本発明でいう灯油混入量とは、ＪＩＳ  Ｋ  ２５３６「石油製品−成分試験方法」により測定される値を意味する。
【００５９】
本発明の無鉛ガソリン組成物の製造方法は、得られる無鉛ガソリン組成物が上記の条件を満たせば特に制限されないが、好ましくは、炭素数８のイソオレフィンの含有量Ａ及び芳香族分の含有量Ｂが上記式（１）〜（４）で表される条件を満たし、かつ、１００〜１５０℃における留出量、リサーチ法オクタン価及び硫黄分の含有量がそれぞれ上記の条件を満たすように、炭素数８のイソオレフィンと、１種又は２種以上のガソリン基材と、必要に応じて添加される酸化防止剤、清浄分散剤、摩擦調整剤及びその他の添加剤とを混合することで調製することができる。
【００６０】
ガソリン基材は、得られる無鉛ガソリン組成物が上記の条件を満たす限り特に制限されないが、具体的には例えば、原油蒸留装置、ナフサ改質装置、アルキレーション装置等から得られるプロパンを中心とした直留系プロパン留分、ブタンを中心とした直留系ブタン留分、それらを脱硫した直留系脱硫プロパン留分、直留系脱硫ブタン留分、接触分解装置等から得られるプロパン・プロピレンを中心とした分解系プロパン留分、ブタン・ブテンを中心とした分解系ブタン留分、原油を常圧蒸留して得られるナフサ留分（フルレンジナフサ）、ナフサの軽質留分（軽質ナフサ）、ナフサの重質留分（重質ナフサ）、フルレンジナフサを脱硫した脱硫フルレンジナフサ、軽質ナフサを脱硫した脱硫軽質ナフサ、重質ナフサを脱硫した脱硫重質ナフサ、軽質ナフサを異性化装置でイソパラフィンに転化して得られる異性化ガソリン、イソブタン等の炭化水素に低級オレフィンを付加（アルキル化）することによって得られるアルキレート、接触改質法で得られる改質ガソリン、改質ガソリンより芳香族分を抽出した残分であるラフィネート、改質ガソリンの軽質留分（軽質改質ガソリン）、改質ガソリンの中重質留分（中重質改質ガソリン）、改質ガソリンの重質留分（重質改質ガソリン）、接触分解法で得られる接触分解ガソリン（フルレンジ分解ガソリン）、接触分解ガソリンの軽質留分（軽質分解ガソリン）、接触分解ガソリンの重質留分（重質分解ガソリン）、水素化分解法で得られる水素化分解ガソリン、及び天然ガス等を一酸化炭素と水素に分解した後にＦ−Ｔ（Ｆｉｓｃｈｅｒ−Ｔｒｏｐｓｃｈ）合成で得られるＧＴＬ（Ｇａｓ  ｔｏ  Ｌｉｑｕｉｄｓ）の軽質留分等の基材を１種又は２種以上を混合することで製造することができる。これらのガソリン基材の中でも、重質ナフサ、軽質改質ガソリン、中重質改質ガソリン、フルレンジ分解ガソリン、軽質分解ガソリン、重質分解ガソリン、アルキレートなどの基材が好ましく用いられる。
【００６１】
また、本発明の無鉛ガソリン組成物は、その酸化安定度を向上させるために、酸化防止剤をさらに含有することが好ましい。酸化防止剤としては、具体的には、Ｎ，Ｎ’−ジイソプロピル−ｐ−フェニレンジアミン、Ｎ，Ｎ’−ジイソブチル−ｐ−フェニレンジアミン、２，６−ジ−ｔ−ブチル−４−メチルフェノール、ヒンダードフェノール類などのガソリン酸化防止剤として公知の化合物が用いることができる。
【００６２】
本発明の無鉛ガソリン組成物が酸化防止剤を含有する場合、酸化防止剤の含有量Ｘは下記式（６）で表される条件を満たすことが好ましい。Ｘが式（６）で表される条件を満たすことによって、酸化防止剤の添加による酸化安定度の向上効果をより有効に得ることができる。
Ｘ≧５＋０．５×Ａ＋２５０×Ｃ    （６）
（式中、Ｘは前記酸化防止剤の含有量（単位：ｇ／ｋＬ）を示し、Ａは前記炭素数８のイソオレフィンの含有量（単位：容量％）を示し、Ｃは前記ジエン類の含有量（単位：容量％）を示す。）
【００６３】
また、本発明の無鉛ガソリン組成物は金属不活性化剤を更に含有することが好ましい。金属不活性化剤としては、Ｎ，Ｎ’−ジサリチリデン−１，２−ジアミノプロパンのようなアミンカルボニル縮合化合物等が挙げられる。
【００６４】
本発明の無鉛ガソリン組成物において、金属不活性化剤の含有量は、組成物全量を基準として、好ましくは０〜１００ｇ／ｋＬ、より好ましくは０〜１０ｇ／ｋＬである。
【００６５】
また、本発明の無鉛ガソリン組成物は、吸気バルブデポジットの防止効果及び燃焼室デポジットの低減効果を向上できる点から、清浄分散剤を更に含有することが好ましい。清浄分散剤としては、コハク酸イミド、ポリアルキルアミン、ポリエーテルアミンなどのガソリン清浄分散剤などが挙げられる。これらの中でも空気中３００℃で熱分解を行った場合にその残分が無いものが好ましく、ポリイソブテニルアミン及び／またはポリエーテルアミンが特に好ましい。
【００６６】
本発明の無鉛ガソリン組成物が清浄分散剤を含有する場合、清浄分散剤の含有量は、組成物全量基準で、２５〜１０００ｇ／ｋＬであることが好ましく、吸気バルブデポジットを防止し、燃焼室デポジットをより低減させる点から、５０〜５００ｇ／ｋＬが更に好ましく、１００〜３００ｇ／ｋＬが最も好ましい。
【００６７】
また、本発明の無鉛ガソリン組成物は、潤滑性を向上できる点から、摩擦調整剤を更に含有することが好ましい。摩擦調整剤としては、例えば、アルコール；ヒドロキシル基を１〜４個有する炭素数１〜３０のアルコール化合物；カルボン酸；モノカルボン酸と、グリコール又は３価アルコールとの反応物であるヒドロキシル基含有エステル；ポリカルボン酸と多価アルコールとのエステル；＞ＮＲ（Ｒは炭素数５〜４０の炭化水素基を示す。）で表される構造を有しかつ１以上の置換基を有する少なくとも１個の窒素化合物と、多価アルコールとのエステル；カルボン酸とアルコールアミンとのアミド化合物等が挙げられる。これらの中でも、炭素数１０〜２５のモノカルボン酸と、グリコール又は３価アルコールとの反応物であるヒドロキシル基含有エステル及び／又は炭素数５〜２５のカルボン酸とアルコールアミンとのアミド化合物がより好ましく、炭素数１０〜２５のモノカルボン酸とグリセリンエステル及び／又は炭素数５〜２５のモノカルボン酸とジエタノールアミンとのアミド化合物がさらに好ましい。これらの摩擦調整剤は、１種を単独で用いてもよく、または、２種以上を組み合わせて用いてもよい。
【００６８】
本発明の無鉛ガソリン組成物が摩擦調整剤を含有する場合、摩擦調整剤の含有量は特に制限されないが、他の添加剤と合わせて添加後のガソリン組成物の未洗実在ガム量が前述の好ましい範囲を満たすように添加することが好ましい。また、十分な燃費及び出力改善効果を発揮させ、一方、それ以上添加しても効果の向上が期待できない等の観点から、摩擦調整剤の含有量は、好ましくは１０〜３００ｇ／ｋＬ、より好ましくは３０〜２５０ｇ／ｋＬである。
【００６９】
なお、摩擦調整剤と称して市販されている商品は、耐摩耗性に寄与する有効成分が適当な溶剤で希釈されていることがある。このような市販の摩擦調整剤を本発明の無鉛ガソリン組成物に添加する場合、上記の含有量は、摩擦調整剤の有効成分の含有量を意味する。
【００７０】
また、本発明の無鉛ガソリン組成物においては、ガソリン基材等に本来的に含まれ得る含酸素化合物の他に、必要に応じて含酸素化合物を更に添加してもよい。添加する含酸素化合物としては、例えば、炭素数２〜４のアルコール類、炭素数４〜８のエーテル類などが含まれる。具体的な含酸素化合物としては、例えば、エタノール、メチル−ｔｅｒｔ−ブチルエーテル（ＭＴＢＥ）、エチル−ｔｅｒｔ−ブチルエーテル（ＥＴＢＥ）、ｔｅｒｔ−アミルメチルエーテル（ＴＡＭＥ）、ｔｅｒｔ−アミルエチルエーテルなどが挙げられる。なお、メタノールは排出ガス中のアルデヒド濃度が高くなる可能性があり、腐食性もあるので好ましくない。
【００７１】
本発明の無鉛ガソリン組成物における含酸素化合物の含有量は、組成物全量を基準として、酸素元素換算で、５．０質量％以下であることが好ましく、より好ましくは３．０質量％以下、最も好ましくは２．０質量％以下である。５．０質量％を越える場合は、排出ガス中のＮＯｘが増加する可能性がある。なお、ここでいう含酸素化合物の含有量とは、ガソリン基材等に本来的に含まれ得る含酸素化合物の含有量と、添加剤として添加される上記含酸素化合物の含有量との合計を意味する。
【００７２】
また、本発明の無鉛ガソリン組成物が含有し得るその他の添加剤としては、有機リン系化合物などの表面着火防止剤；多価アルコールあるいはそのエーテルなどの氷結防止剤；有機酸のアルカリ金属塩またはアルカリ土類金属塩；高級アルコール硫酸エステルなどの助燃剤；アニオン系界面活性剤；カチオン系界面活性剤；両性界面活性剤などの帯電防止剤；アゾ染料などの着色剤；有機カルボン酸あるいはそれらの誘導体類；アルケニルコハク酸エステル等の防錆剤；ソルビタンエステル類等の水抜き剤；キリザニン、クマリンなどの識別剤；天然精油合成香料などの着臭剤等が挙げられる。これらの添加剤は、１種を単独で、または、２種以上を組み合せて添加することができる。これらの添加剤の含有量の合計は組成物全量基準で０．１質量％以下であることが好ましい。
【実施例】
【００７３】
以下、実施例及び比較例に基づき本発明を更に具体的に説明するが、本発明は以下の実施例に何ら限定されるものではない。
【００７４】
（ガソリン基材）
無鉛ガソリン組成物を調製するための基材として、ブタン、軽質ナフサ、ラフィネート、トルエン、重質改質ガソリン、分解ガソリン、軽質分解ガソリン、重質分解ガソリン、アルキレートおよびイソオクテンを準備した。各基材の性状を表１、２に示す。
【００７５】
なお、表２に示すイソオクテンは、固体酸触媒としてリン酸担持珪藻土触媒を用い、固定床連続流通反応形式によって７０℃〜１００℃程度の反応温度で炭素数４のオレフィン原料と接触させることにより、二量化反応を行うことによって得られた基材である。
【００７６】
【表１】
2008169230.tif 000002
【００７７】
【表２】
2008169230.tif 000003
【００７８】
［実施例１〜７、比較例１〜５］
実施例１〜５及び比較例１〜３、５においては、それぞれ表１、２に示す基材及び以下に示す添加剤を用いて表３又は５に示す組成を有する無鉛ガソリン組成物を調製した。また、比較例４の無鉛ガソリン組成物として、市販されているプレミアムガソリンを準備した。各無鉛ガソリン組成物の性状を表３〜６に示す。
（添加剤）
酸化防止剤：Ｎ，Ｎ’−ジイソブチル−ｐ−フェニレンジアミン。
【００７９】
［燃費測定・排出二酸化炭素測定］
実施例１〜７及び比較例１〜５の各無鉛ガソリン組成物について、下記の試験車両を使用して１０・１５モード走行による燃費測定および排出二酸化炭素の測定を実施した。得られた結果を表４、６に示す。
（試験車両）
エンジン：直列４気筒
排気量：１７９５ｃｃ
噴射方式：マルチポイント式。
【００８０】
［燃焼室デポジット試験］
実施例１〜７及び比較例１〜５の各無鉛ガソリン組成物について、下記の試験エンジンを使用し、ＪＡＳＯ法による燃焼室デポジット試験を実施した。試験後のデポジット量を表４、６に示す。
（試験車両）
エンジン：直列４気筒
排気量：２１５６ｃｃ
噴射方式：マルチポイント式。
【００８１】
【表３】
2008169230.tif 000004
【００８２】
【表４】
2008169230.tif 000005
【００８３】
【表５】
2008169230.tif 000006
【００８４】
【表６】
2008169230.tif 000007
【００８５】
表３、４に示す通り、実施例１〜７の無鉛ガソリン組成物は、ＪＩＳ  Ｋ  ２２０２に規定する自動車ガソリンの規格を満足するものであり、また、酸化安定度や燃費を維持したまま、燃焼室デポジットを低減するとともに二酸化炭素の排出量も少なくすることを可能としていることが分かる。これらの効果をわかりやすく示すために、○△×の記号により整理した。
酸化安定度：○＝１４４０分以上、△＝４８０分以上１４４０分未満、×＝４８０分未満
燃費：○＝１２．３ｋｍ／Ｌ以上、△＝１２．０ｋｍ／Ｌ以上１２．３ｋｍ／Ｌ未満、×＝１２．０ｋｍ／Ｌ未満
燃焼室デポジット：○＝８００ｍｇ／ｔｅｓｔ未満、△＝８００ｍｇ／ｔｅｓｔ以上１０００ｍｇ／ｔｅｓｔ未満、×＝１０００ｍｇ／ｔｅｓｔ以上
排出二酸化炭素：○＝２１７．５ｇ／ｔｅｓｔ未満、△＝２１７．５ｇ／ｔｅｓｔ以上２１８ｇ／ｔｅｓｔ未満、×＝２１８ｇ／ｔｅｓｔ以上。